(57)【要約】【課題】  放射導体板を小型化でき、誘電体損失も少なく、性能の良好なアンテナ装置を提供する。【解決手段】  本発明のアンテナ装置は、金属板からなる接地導体板１と、この接地導体板１と間隔を隔てて配置された金属板からなる放射導体板７とを備え、接地導体板１、又は／及び放射導体板７には、放射導体板７にあっては接地導体板１側に延びる複数の第１の延設部９〜１２、また、接地導体板１にあっては放射導体板７側に延びる複数の第２の延設部１４〜１７が設けられ、第１の延設部９〜１２と接地導体板１の間、又は第２の延設部１４〜１７と放射導体板７の間、又は第１，第２の延設部９〜１２と１４〜１７の間でコンデンサが形成されたため、共振周波数が低くなって、放射導体板７の小型化が図れると共に、安価なものが得られる。【選択図】        図２
2005159944.tif 000002
【特許請求の範囲】
【請求項１】
金属板からなる接地導体板と、この接地導体板と間隔を隔てて配置された金属板からなる放射導体板とを備え、前記接地導体板、又は／及び前記放射導体板には、前記放射導体板にあっては前記接地導体板側に延びる複数の第１の延設部、また、前記接地導体板にあっては前記放射導体板側に延びる複数の第２の延設部が設けられ、前記第１の延設部と前記接地導体板の間、又は前記第２の延設部と前記放射導体板の間、又は前記第１，第２の延設部の間でコンデンサが形成されたことを特徴とするアンテナ装置。
【請求項２】
前記第１の延設部は、前記放射導体板から前記接地導体板側に延びる脚部と、この脚部の端部に設けられ、前記接地導体板に対して略平行に延びる電極部とで形成されたことを特徴とする請求項１記載のアンテナ装置。
【請求項３】
前記第１の延設部の前記脚部は、前記放射導体板の外周縁に沿って設けられたことを特徴とする請求項２記載のアンテナ装置。
【請求項４】
前記第１の延設部の前記脚部は、前記放射導体板の少なくとも一部が切り曲げされて、前記放射導体板の外周縁よりも中心寄りに形成されたことを特徴とする請求項２記載のアンテナ装置。
【請求項５】
前記第２の延設部は、前記接地導体板から前記放射導体板側に延びる脚部と、この脚部の端部に設けられ、前記放射導体板に対して略平行に延びる電極部とで形成されたことを特徴とする請求項１から４の何れかに記載のアンテナ装置。
【請求項６】
前記第２の延設部は、前記接地導体板から切り曲げされて形成されたことを特徴とする請求項５記載のアンテナ装置。
【請求項７】
誘電体、及びこの誘電体の両面に設けられた電極からなるチップ型コンデンサを有し、前記チップ型コンデンサが前記第１の延設部の前記電極部と前記接地導体板との間に配置され、前記チップ型コンデンサの一方の前記電極が前記第１の延設部に接続されると共に、前記チップ型コンデンサの他方の前記電極が前記接地導体板に接続されたことを特徴とする請求項２から４の何れかに記載のアンテナ装置。
【請求項８】
誘電体、及びこの誘電体の両面に設けられた電極からなるチップ型コンデンサを有し、前記チップ型コンデンサが前記放射導体板と前記第２の延設部の前記電極部との間に配置され、前記チップ型コンデンサの一方の電極が前記放射導体板に接続されると共に、前記チップ型コンデンサの他方の前記電極が前記第２の延設部の前記電極部に接続されたことを特徴とする請求項５、又は６記載のアンテナ装置。
【請求項９】
前記第１の延設部は、前記放射導体板から前記接地導体板側に延びる脚部と、この脚部の端部に設けられ、前記接地導体板に対して略平行に延びる電極部とで形成され、また、前記第２の延設部は、前記接地導体板から前記放射導体板側に延びる脚部と、この脚部の端部に設けられ、前記放射導体板に対して略平行に延びる電極部とで形成されると共に、誘電体、及びこの誘電体の両面に設けられた電極からなるチップ型コンデンサを有し、このチップ型コンデンサが前記第１，第２の延設部の前記電極部間に配置され、前記チップ型コンデンサの一方の前記電極が前記第１の延設部の前記電極部に接続されると共に、前記チップ型コンデンサの他方の前記電極が前記第２の延設部の前記電極部に接続されたことを特徴とする請求項１記載のアンテナ装置。
【請求項１０】
前記放射導体板の中心部には、支持部材が設けられ、前記放射導体板が前記支持部材によって前記接地導体板に支持されたことを特徴とする請求項１から９の何れかに記載のアンテナ装置。
【請求項１１】
前記接地導体板と前記放射導体板との間には、電子部品が搭載された回路基板が配置されたことを特徴とする請求項１から１０の何れかに記載のアンテナ装置。
【請求項１２】
前記放射導体板には、外周縁から中心側に向かって設けられた切り込みによって、曲げ可能な舌片が形成され、この舌片の曲げによってコンデンサの容量を調整可能としたことを特徴とする請求項１から１１の何れかに記載のアンテナ装置。
【発明の詳細な説明】
【技術分野】
【０００１】
本発明はＧＰＳアンテナ等に使用して好適なパッチ型のアンテナ装置に関する。
【背景技術】
【０００２】
従来のアンテナ装置の図面を説明すると、図１３は従来のアンテナ装置の平面図、図１４は従来のアンテナ装置の要部断面図である。
【０００３】
次に、従来のアンテナ装置の構成を図１３，図１４に基づいて説明すると、絶縁基板５１の上面にパターニングされた接地導体５２と、この接地導体５２上に所定の間隔を隔てて平行に配置された金属板からなる放射導体板５３と、接地導体５２上に立設された誘電体材料からなる４本の支持部材５４を有する。
【０００４】
また、放射導体板５３は、正方形状を有して、電界強度の強い箇所である４隅が支持部材５４によって支持されており、また、放射導体板５３には、導電線からなる給電部５５が接続され、この給電部５５が接地導体５２と絶縁基板５１を貫通する孔５６に挿通されて、ここは図示しないアンテナ回路に接続されている。（例えば、特許文献１参照）
【０００５】
しかし、このような従来のアンテナ装置は、４本の支持部材５４による誘電体損失、及び、電界強度の強い箇所の４本の支持部材５４による誘電体損失によってアンテナ効率が低下し、また、誘電体材料からなる４本の支持部材５４を接地導体５２と放射導体板５３との間に設置するため、材料費や組立費が嵩んで、コスト高になる。
また、放射導体板５３は四角形状となっているため、全体が大きくなって、小型化に適さないものであった。
【０００６】
【特許文献１】特開２００２−２３７７１４号公報
【発明の開示】
【発明が解決しようとする課題】
【０００７】
従来のアンテナ装置は、４本の支持部材５４による誘電体損失、及び、電界強度の強い箇所の４本の支持部材５４による誘電体損失によってアンテナ効率が低下し、また、誘電体材料からなる４本の支持部材５４を接地導体５２と放射導体板５３との間に設置するため、材料費や組立費が嵩んで、コスト高になるという問題がある。
また、放射導体板５３は四角形状となっているため、全体が大きくなって、小型化に適さないという問題がある。
【０００８】
そこで、本発明は放射導体板を小型化でき、誘電体損失も少なく、安価なアンテナ装置を提供することを目的とする。
【課題を解決するための手段】
【０００９】
上記課題を解決するための第１の解決手段として、金属板からなる接地導体板と、この接地導体板と間隔を隔てて配置された金属板からなる放射導体板とを備え、前記接地導体板、又は／及び前記放射導体板には、前記放射導体板にあっては前記接地導体板側に延びる複数の第１の延設部、また、前記接地導体板にあっては前記放射導体板側に延びる複数の第２の延設部が設けられ、前記第１の延設部と前記接地導体板の間、又は前記第２の延設部と前記放射導体板の間、又は前記第１，第２の延設部の間でコンデンサが形成された構成とした。
【００１０】
また、第２の解決手段として、前記第１の延設部は、前記放射導体板から前記接地導体板側に延びる脚部と、この脚部の端部に設けられ、前記接地導体板に対して略平行に延びる電極部とで形成された構成とした。
また、第３の解決手段として、前記第１の延設部の前記脚部は、前記放射導体板の外周縁に沿って設けられた構成とした。
また、第４の解決手段として、前記第１の延設部の前記脚部は、前記放射導体板の少なくとも一部が切り曲げされて、前記放射導体板の外周縁よりも中心寄りに形成された構成とした。
【００１１】
また、第５の解決手段として、前記第２の延設部は、前記接地導体板から前記放射導体板側に延びる脚部と、この脚部の端部に設けられ、前記放射導体板に対して略平行に延びる電極部とで形成された構成とした。
また、第６の解決手段として、前記第２の延設部は、前記接地導体板から切り曲げされて形成され構成とした。
【００１２】
また、第７の解決手段として、誘電体、及びこの誘電体の両面に設けられた電極からなるチップ型コンデンサを有し、前記チップ型コンデンサが前記第１の延設部の前記電極部と前記接地導体板との間に配置され、前記チップ型コンデンサの一方の前記電極が前記第１の延設部に接続されると共に、前記チップ型コンデンサの他方の前記電極が前記接地導体板に接続された構成とした。
【００１３】
また、第８の解決手段として、誘電体、及びこの誘電体の両面に設けられた電極からなるチップ型コンデンサを有し、前記チップ型コンデンサが前記放射導体板と前記第２の延設部の前記電極部との間に配置され、前記チップ型コンデンサの一方の電極が前記放射導体板に接続されると共に、前記チップ型コンデンサの他方の前記電極が前記第２の延設部の前記電極部に接続された構成とした。
【００１４】
また、第９の解決手段として、前記第１の延設部は、前記放射導体板から前記接地導体板側に延びる脚部と、この脚部の端部に設けられ、前記接地導体板に対して略平行に延びる電極部とで形成され、また、前記第２の延設部は、前記接地導体板から前記放射導体板側に延びる脚部と、この脚部の端部に設けられ、前記放射導体板に対して略平行に延びる電極部とで形成されると共に、誘電体、及びこの誘電体の両面に設けられた電極からなるチップ型コンデンサを有し、このチップ型コンデンサが前記第１，第２の延設部の前記電極部間に配置され、前記チップ型コンデンサの一方の前記電極が前記第１の延設部の前記電極部に接続されると共に、前記チップ型コンデンサの他方の前記電極が前記第２の延設部の前記電極部に接続された構成とした。
【００１５】
また、第１０の解決手段として、前記放射導体板の中心部には、支持部材が設けられ、前記放射導体板が前記支持部材によって前記接地導体板に支持された構成とした。
また、第１１の解決手段として、前記接地導体板と前記放射導体板との間には、電子部品が搭載された回路基板が配置された構成とした。
【００１６】
また、第１２の解決手段として、前記放射導体板には、外周縁から中心側に向かって設けられた切り込みによって、曲げ可能な舌片が形成され、この舌片の曲げによってコンデンサの容量を調整可能とした構成とした。
【発明の効果】
【００１７】
本発明のアンテナ装置は、金属板からなる接地導体板と、この接地導体板と間隔を隔てて配置された金属板からなる放射導体板とを備え、接地導体板、又は／及び放射導体板には、放射導体板にあっては接地導体板側に延びる複数の第１の延設部、また、接地導体板にあっては放射導体板側に延びる複数の第２の延設部が設けられ、第１の延設部と接地導体板の間、又は第２の延設部と放射導体板の間、又は第１，第２の延設部の間でコンデンサが形成された構成とした。
このように、接地導体板と放射導体板との間には、第１，又は第２の延設部によってコンデンサが形成されているため、共振周波数が低くなって、放射導体板の小型化が図れると共に、安価なものが得られる。
また、コンデンサが形成される接地導体板と放射導体板との間は、空気の存在となって、誘電体損失が無く、アンテナ効率が向上して、性能の良好なものが得られる。
【００１８】
また、第１の延設部は、放射導体板から接地導体板側に延びる脚部と、この脚部の端部に設けられ、接地導体板に対して略平行に延びる電極部とで形成されたため、その構成が簡単で、生産性が良く、安価なものが得られると共に、容量の調整可能なものが得られる。
【００１９】
また、第１の延設部の脚部は、放射導体板の外周縁に沿って設けられたため、表面積の大きな放射導体板が得られる。
【００２０】
また、第１の延設部の脚部は、放射導体板の少なくとも一部が切り曲げされて、放射導体板の外周縁よりも中心寄りに形成されたため、折り曲げ片からなる脚部は、放射導体板の外周縁からの切り曲げによって形成できて材料取りが良く、安価なものが得られる。
【００２１】
また、第２の延設部は、接地導体板から放射導体板側に延びる脚部と、この脚部の端部に設けられ、放射導体板に対して略平行に延びる電極部とで形成されたため、その構成が簡単で、生産性が良く、安価なものが得られると共に、容量の調整可能なものが得られる。
【００２２】
また、第２の延設部は、接地導体板から切り曲げされて形成されため、その構成が簡単で、生産性が良く、安価なものが得られる。
【００２３】
また、誘電体、及びこの誘電体の両面に設けられた電極からなるチップ型コンデンサを有し、チップ型コンデンサが第１の延設部の電極部と接地導体板との間に配置され、チップ型コンデンサの一方の電極が第１の延設部に接続されると共に、チップ型コンデンサの他方の電極が接地導体板に接続されたため、コンデンサの容量を大きくできて、共振周波数が一層低くなって、放射導体板の一層の小型化が図れると共に、チップ型コンデンサの誘電体は、薄い板厚のもので良いため、誘電体損失の影響を極力抑えることができる。
【００２４】
また、誘電体、及びこの誘電体の両面に設けられた電極からなるチップ型コンデンサを有し、チップ型コンデンサが放射導体板と第２の延設部の電極部との間に配置され、チップ型コンデンサの一方の電極が放射導体板に接続されると共に、チップ型コンデンサの他方の電極が第２の延設部の電極部に接続されたため、コンデンサの容量を大きくできて、共振周波数が一層低くなって、放射導体板の一層の小型化が図れると共に、チップ型コンデンサの誘電体は、薄い板厚のもので良いため、誘電体損失の影響を極力抑えることができる。
【００２５】
また、第１の延設部は、放射導体板から接地導体板側に延びる脚部と、この脚部の端部に設けられ、接地導体板に対して略平行に延びる電極部とで形成され、また、第２の延設部は、接地導体板から放射導体板側に延びる脚部と、この脚部の端部に設けられ、放射導体板に対して略平行に延びる電極部とで形成されると共に、誘電体、及びこの誘電体の両面に設けられた電極からなるチップ型コンデンサを有し、このチップ型コンデンサが第１，第２の延設部の電極部間に配置され、チップ型コンデンサの一方の電極が第１の延設部の電極部に接続されると共に、チップ型コンデンサの他方の電極が第２の延設部の電極部に接続されたため、コンデンサの容量を大きくできて、共振周波数が一層低くなって、放射導体板の一層の小型化が図れると共に、チップ型コンデンサの誘電体は、薄い板厚のもので良いため、誘電体損失の影響を極力抑えることができる。
【００２６】
また、放射導体板の中心部には、支持部材が設けられ、放射導体板が支持部材によって接地導体板に支持されたため、電界強度の弱い箇所に支持部材が存在して、誘電体損失の影響を極力抑えることができる。
【００２７】
また、接地導体板と放射導体板との間には、電子部品が搭載された回路基板が配置されたため、回路基板は、放射導体板と接地導体板の間に配置できて、スペースファクタが良く、小型化が図れる。
【００２８】
また、放射導体板には、外周縁から中心側に向かって設けられた切り込みによって、曲げ可能な舌片が形成され、この舌片の曲げによってコンデンサの容量を調整可能としたため、容量の調整可能となって、性能の良好なものが得られる。
【発明を実施するための最良の形態】
【００２９】
本発明のアンテナ装置の図面を説明すると、図１は本発明のアンテナ装置の第１実施例に係る平面図、図２は図１の２−２線における断面図、図３は図１の３−３線における断面図、図４は本発明のアンテナ装置の第１実施例に係る放射導体板の斜視図、図５は本発明のアンテナ装置の第２実施例に係る放射導体板の平面図である。
【００３０】
また、図６は本発明のアンテナ装置の第３実施例に係る平面図、図７は図６の７−７線における断面図、図８は本発明のアンテナ装置の第３実施例に係る接地導体板の斜視図、図９は本発明のアンテナ装置の第４実施例に係る要部断面図、図１０は本発明のアンテナ装置の第５実施例に係る要部断面図、図１１は本発明のアンテナ装置の第６実施例に係る要部断面図、図１２は本発明のアンテナ装置の第７実施例に係る要部断面図である。
【００３１】
次に、本発明のアンテナ装置の第１実施例の構成を図１〜図４に基づいて説明すると、接地導体である金属板からなる接地導体板１は、比較的大きな四角形状の鉄板等で形成され、適宜箇所に設けられた逃げ孔１ａを有する。
【００３２】
四角形をなした回路基板２は、絶縁板３と、この絶縁板３に設けられた配線パターン４と、絶縁板３上に搭載された種々の電子部品５とで構成されて、この回路基板２には、フイルタ回路、増幅回路等からなる所望の電気回路が形成されている。
このような回路基板２は、接地導体板１上のほぼ中央部に載置されて、適宜手段によって接地導体板１に取り付けられている。
【００３３】
支持部材６は、絶縁材料や金属材料からなる柱状部で形成され、この支持部材６は、回路基板２を貫通して、接地導体板１の中心部に固着されている。
【００３４】
八角形状等の金属板からなる放射導体板７は、特に図１に示すように、下方に切り曲げされた折り曲げ片からなる一つの給電部８を有すると共に、この給電部８に対して４５度ずれた状態で、中心Ｃを通って互いに直交する第１，第２の線Ｓ１，Ｓ２方向が電界方向となると共に、この第１の線Ｓ１方向には、第１の電気長が発生し、また、第２の線Ｓ２方向には、第２の電気長が発生して、放射導体板７における第１，第２の電気長は、等しくなっている。
【００３５】
また、放射導体板７は、中心Ｃを通り、互いに直交する第３，第４の線Ｓ３，Ｓ４上に位置で、中心部を除く箇所で、第３，第４の線Ｓ３，Ｓ４上の外周縁までの間に設けられた４個の第１の延設部９，１０，１１，１２を有する。
この第３，第４の線Ｓ３，Ｓ４は、第１，第２の線Ｓ１，Ｓ２に対して４５度ずれた状態となっている。
【００３６】
この４個の第１の延設部９〜１２は、それぞれ放射導体板７から下方に折り曲げられた脚部９ａ、１０ａ、１１ａ、１２ａと、この脚部９ａ〜１２ａの端部から略直角に曲げられた平板状の電極部９ｂ、１０ｂ、１１ｂ、１２ｂを有し、脚部９ａ〜１２ａは、中心Ｃからの距離が等しい位置で、下方に折り曲げられて形成されると共に、外周縁７ａに沿って設けられている。
【００３７】
また、放射導体板７の電界強度は、第１，第２の線Ｓ１，Ｓ２上の外周部における箇所が強い状態となっているが、第１の延設部９〜１２は、第１，第２の線Ｓ１，Ｓ２から離れて電界強度が比較的弱い箇所に設けられた状態となっている。
【００３８】
また、放射導体板７には、第１，第２の線Ｓ１，Ｓ２上に位置し、外周縁７ａから中心Ｃに向かって設けられた切り込みによって、曲げ可能な舌片１３ａ、１３ｂ、１３ｃ、１３ｄが形成されている。
【００３９】
そして、放射導体板７は、電界強度の弱い中心部が支持部材６によって支持されて、接地導体板１上に取り付けられると共に、給電部８が配線パターン４に半田付けされる。
この時、給電部８は、逃げ孔１ａによって、接地導体板１と導通しないようになっている。
【００４０】
このようにして回路基板２に取り付けられた放射導体板７は、接地導体板１と回路基板２に所定の間隔を隔てて平行な状態で配置されると共に、第１の延設部９〜１２の電極部９ｂ〜１２ｂは、接地導体板１に対して略平行で、且つ、近い位置で対向した状態で配置され、それぞれの電極部９ｂ〜１２ｂは、接地導体板１との間でコンデンサが形成されている。
【００４１】
この実施例では、電極部９ｂ〜１２ｂのそれぞれの下部の面積を等しくしているが、第３の線Ｓ３上に位置する電極部９ｂ、１０ｂの面積と、第４の線Ｓ４上に位置する電極部１１ｂ、１２ｂの面積を異ならしめても良い。
【００４２】
また、放射導体板７の第１の電気長は、第１の線Ｓ１上の放射導体板７の長さ（電気長）と、第１の延設部９，１０によるコンデンサの容量の大きさで決められ、また、放射導体板７の第２の電気長は、第２の線Ｓ２上の放射導体板７の長（電気長）さと、第１の延設部１１，１２によるコンデンサの容量の大きさで決められる。
【００４３】
この実施例では、第１，第２の線Ｓ１，Ｓ２上の放射導体板７における電気長が等しく、また、第３の線Ｓ３上の第１の延設部９，１０で形成されるコンデンサと第４の線Ｓ４上の第１の延設部１１，１２で形成されるコンデンサの容量は等しくなっているため、第１，第２の線Ｓ１，Ｓ２での第１，第２の電気長が等しく、従って、直線偏波型アンテナ装置が得られるようになっている。
【００４４】
なお、放射導体板７に生じる第１，第２の線Ｓ１，Ｓ２上の電気長を違えるか、或いは、第３の線Ｓ３上の第１の延設部９，１０で形成されるコンデンサと第４の線Ｓ４上の第１の延設部１１，１２で形成されるコンデンサの容量を違えると、第１，第２の線Ｓ１，Ｓ２での第１，第２の電気長の差が生じて、円偏波型アンテナ装置が得られるようになる。
【００４５】
また、放射導体板７が取り付けられた際、下部全体には、放射導体板７より面積の大きな接地導体板１が存在すると共に、放射導体板７と接地導体板１との間には、放射導体板７の平面領域内に回路基板２が位置した状態となっている。
【００４６】
そして、このような構成を有するアンテナ装置は、第１の延設部９〜１２の脚部９ａ〜１２ａ、又は／及び電極部９ｂ〜１２ｂを曲げることによって、コンデンサの容量を調整することができると共に、舌片１３ａ〜１３ｄを折り曲げて、接地導体板１との間隔を変えることによって、コンデンサの容量を調整することができるようになっている。
【００４７】
なお、上記実施例では、一つの給電部を設けたもので説明したが、二つの給電部を設けたものでも良いこと勿論である。
【００４８】
また、図５は本発明のアンテナ装置の第２実施例を示し、この第２実施例の構成と説明すると、第１の延設部９〜１２の脚部９ａ〜１２ａは、放射導体板１の少なくとも一部が切り曲げされて、放射導体板７の外周縁７ａよりも中心Ｃ寄りに形成されたものである。
【００４９】
その他の構成は、上記第１実施例と同様であり、同一部品に同一番号を付して、ここではその説明を省略する。
【００５０】
また、図６〜図８は本発明のアンテナ装置の第３実施例を示し、この第３実施例の構成と説明すると、第１実施例における放射導体板７の第１の延設部９〜１２を無くし、その代わりに、接地導体板１には、切り曲げされて形成された第２の延設部１４、１５，１６，１７が設けられ、この第２の延設部１４〜１７は、放射導体板７方向に折り曲げられた脚部１４ａ、１５ａ、１６ａ、１７ａと、この脚部１４ａ〜１７ａの端部から略直角に曲げられ、放射導体板７に対して略平行な平板状の電極部１４ｂ、１５ｂ、１６ｂ、１７ｂを有し、脚部１４ａ〜１７ｂは、支持部材６からの距離が等しい位置に形成されている。
【００５１】
そして、この第３実施例においても、第１の延設部１４〜１７と放射導体板７との間でコンデンサが形成されると共に、第１の延設部１４〜１７の脚部１４ａ〜１７ａ、又は／及び電極部１４ｂ〜１７ｂを曲げることによって、コンデンサの容量を調整することができる。
【００５２】
その他の構成は、上記第１実施例と同様であり、同一部品に同一番号を付して、ここではその説明を省略する。
【００５３】
また、図９は本発明のアンテナ装置の第４実施例を示し、この第４実施例は、放射導体板７に第１の延設部９〜１２を設けると共に、接地導体板１に第２の延設部１４〜１７を設け、第１の延設部９〜１２と第２の延設部１４〜１７との間でコンデンサを形成したものである。
【００５４】
その他の構成は、上記第１実施例と上記第３実施例と同様であり、同一部品に同一番号を付して、ここではその説明を省略する。
【００５５】
また、図１０は本発明のアンテナ装置の第５実施例を示し、この第５実施例は、絶縁材からなる誘電体１８，及びこの誘電体１８の両面に設けられた電極１９からなるチップ型コンデンサＴを有し、チップ型コンデンサＴが第１の延設部９〜１２の電極部９ｂ〜１２ｂのそれぞれと接地導体板１との間に配置され、チップ型コンデンサＴの一方の電極１９が第１の延設部９〜１２に接続されると共に、チップ型コンデンサＴの他方の電極１９が接地導体板１に接続されたものである。
【００５６】
これによって、コンデンサの容量を大きくできて、共振周波数をより低くでき、放射導体板７のより小型化を図ることができる。
その他の構成は、上記第１実施例と同様であり、同一部品に同一番号を付して、ここではその説明を省略する。
【００５７】
また、図１１は本発明のアンテナ装置の第６実施例を示し、この第６実施例は、絶縁材からなる誘電体１８，及びこの誘電体１８の両面に設けられた電極１９からなるチップ型コンデンサＴを有し、チップ型コンデンサＴが第２の延設部１４〜１７の電極部１４ｂ〜１７ｂのそれぞれと放射導体板７との間に配置され、チップ型コンデンサＴの一方の電極１９が第２の延設部１４〜１７に接続されると共に、チップ型コンデンサＴの他方の電極１９が放射導体板７に接続されたものである。
【００５８】
これによって、コンデンサの容量を大きくできて、共振周波数をより低くでき、放射導体板７のより小型化を図ることができる。
その他の構成は、上記第３実施例と同様であり、同一部品に同一番号を付して、ここではその説明を省略する。
【００５９】
また、図１２は本発明のアンテナ装置の第７実施例を示し、この第７実施例は、絶縁材からなる誘電体１８，及びこの誘電体１８の両面に設けられた電極１９からなるチップ型コンデンサＴを有し、チップ型コンデンサＴが第１の延設部９〜１２の電極部９ｂ〜１２ｂのそれぞれと第２の延設部１４〜１７の電極部１４ｂ〜１７ｂのそれぞれとの間に配置され、チップ型コンデンサＴの一方の電極１９が第１の延設部９〜１２に接続されると共に、チップ型コンデンサＴの他方の電極１９が第２の延設部１４〜１７に接続されたものである。
【００６０】
これによって、コンデンサの容量を大きくできて、共振周波数をより低くでき、放射導体板７のより小型化を図ることができる。
その他の構成は、上記第１実施例と上記第３実施例と同様であり、同一部品に同一番号を付して、ここではその説明を省略する。
【００６１】
なお、上記実施例における第１の延設部９〜１２の電極部９ｂ〜１２ｂと第２の延設部１４〜１７の電極部１４ｂ〜１７ｂの大きさは、チップ型コンデンサＴよりも小さく、又、同等、又は、大きくしても良い。
【図面の簡単な説明】
【００６２】
【図１】本発明のアンテナ装置の第１実施例に係る平面図。
【図２】図１の２−２線における断面図。
【図３】図１の３−３線における断面図。
【図４】本発明のアンテナ装置の第１実施例に係る放射導体板の斜視図。
【図５】本発明のアンテナ装置の第２実施例に係る放射導体板の平面図。
【図６】本発明のアンテナ装置の第３実施例に係る平面図。
【図７】図６の７−７線における断面図。
【図８】本発明のアンテナ装置の第３実施例に係る接地導体板の斜視図。
【図９】本発明のアンテナ装置の第４実施例に係る要部断面図。
【図１０】本発明のアンテナ装置の第５実施例に係る要部断面図。
【図１１】本発明のアンテナ装置の第６実施例に係る要部断面図。
【図１２】本発明のアンテナ装置の第７実施例に係る要部断面図。
【図１３】従来のアンテナ装置の平面図。
【図１４】従来のアンテナ装置の要部断面図。
【符号の説明】
【００６３】
１：接地導体板
１ａ：逃げ孔
２：回路基板
３：絶縁板
４：配線パターン
５：電子部品
６：支持部材
７：放射導体板
７ａ：外周縁
８：給電部
９：第１の延設部
９ａ：脚部
９ｂ：電極部
１０：第１の延設部
１０ａ：脚部
１０ｂ：電極部
１１：第１の延設部
１１ａ：脚部
１１ｂ：電極部
１２：第１の延設部
１２ａ：脚部
１２ｂ：電極部
１３ａ：舌片
１３ｂ：舌片
１３ｃ：舌片
１３ｄ：舌片
１４：第２の延設部
１４ａ：脚部
１４ｂ：電極部
１５：第２の延設部
１５ａ：脚部
１５ｂ：電極部
１６：第２の延設部
１６ａ：脚部
１６ｂ：電極部
１７：第２の延設部
１７ａ：脚部
１７ｂ：電極部
１８：誘電体
１９：電極
Ｔ：チップ型コンデンサ
Ｃ：中心
Ｓ１：第１の線
Ｓ２：第２の線
Ｓ３：第３の線
Ｓ４：第４の線
【図１】
2005159944.tif 000003
【図２】
2005159944.tif 000004
【図３】
2005159944.tif 000005
【図４】
2005159944.tif 000006
【図５】
2005159944.tif 000007
【図６】
2005159944.tif 000008
【図７】
2005159944.tif 000009
【図８】
2005159944.tif 000010
【図９】
2005159944.tif 000011
【図１０】
2005159944.tif 000012
【図１１】
2005159944.tif 000013
【図１２】
2005159944.tif 000014
【図１３】
2005159944.tif 000015
【図１４】
2005159944.tif 000016